(57)【要約】【課題】３原色より多い多原色を用いることにより再現できる色の範囲を広げるに際し、コストが増加することなく装置自体のサイズも増大することのないフルカラーＬＥＤを提供する。【解決手段】単色赤色ＬＥＤ２０とパルス電源１６に接続された電流値の変化により発光波長が変化する波長可変緑色ＬＥＤ２２と単色青色ＬＥＤ２４とを用い、波長可変緑色ＬＥＤ２２に複数のピーク電流値を有するパルス電流（異なるピーク電流値のパルスを含むパルス群間の周期Ｔが２５ｍｓ以下）を流すことにより複数のピーク電流値に応じた複数種類の原色の発光をさせる。原色Ｇ、Ｇｘ等の発光強度はデューティー比を制御することにより調節する。発光強度が調整された原色Ｇ、Ｇｘ等と通常のように発光強度が調整された赤色ＬＥＤ２０による原色Ｆｒ等および青色ＬＥＤ２４による原色Ｆｂ等とを混色することにより多原色フルカラーＬＥＤを実現することができる。【選択図】  図１
2006344913.tif 000002
【特許請求の範囲】
【請求項１】
赤色発光ダイオードと、青色発光ダイオードと、電流値の変化により発光波長が変化する緑色の波長可変発光ダイオードとを備えたフルカラー発光ダイオードであって、
前記緑色の波長可変発光ダイオードに、所定の個数のピーク電流値を有するパルス電流であって、異なるピーク電流値のパルスを含むパルス群間の周期が所定のパルス周期以下であるパルス電流を流すことを特徴とするフルカラー発光ダイオード。
【請求項２】
請求項１記載のフルカラー発光ダイオードにおいて、前記青色発光ダイオードを電流値の変化により発光波長が変化する青色の波長可変発光ダイオードとし、該青色の波長可変発光ダイオードに所定の個数のピーク電流値を有するパルス電流であって、異なるピーク電流値のパルスを含むパルス群間の周期が所定のパルス周期以下であるパルス電流を流すことを特徴とするフルカラー発光ダイオード。
【請求項３】
請求項２記載のフルカラー発光ダイオードにおいて、前記赤色発光ダイオードを電流値の変化により発光波長が変化する赤色の波長可変発光ダイオードとし、該赤色の波長可変発光ダイオードに所定の個数のピーク電流値を有するパルス電流であって、異なるピーク電流値のパルスを含むパルス群間の周期が所定のパルス周期以下であるパルス電流を流すことを特徴とするフルカラー発光ダイオード。
【請求項４】
請求項１乃至３のいずれかに記載のフルカラー発光ダイオードにおいて、前記所定のパルス周期は２５ｍｓであることを特徴とするフルカラー発光ダイオード。
【発明の詳細な説明】
【技術分野】
【０００１】
本発明は、３原色より多い多原色を用いるフルカラー発光ダイオードに関する。
【背景技術】
【０００２】
従来のフルカラー発光ダイオード（ＬＥＤ）は、通常、１つのパッケージの中に、赤、緑および青という光の３原色の光を放射する３枚の半導体チップ（単色ＬＥＤ）が内蔵されている。各単色ＬＥＤに流れる順電流を調整して各単色ＬＥＤの発光強度を調整し混色することにより、全体として種々の色相の発光を得ている。
【０００３】
図６は、従来のフルカラーＬＥＤにより再現される色の範囲を色度図により示す。より詳しく述べると、図６は、赤、緑、青の光の配合率で種々の色を３次元座標として表した上で、これをｘｙ平面上に射影したＣＩＥ（Commission Internationale de l’Eclairage : 国際照明委員会）によるｘｙ色度図である。ｘｙ色度図上の曲線Ａ内の領域（色度座標ｘおよびｙの各所定の範囲により示される領域）がすべての色を表しており、例えば、左上の領域は緑、左下の領域は青、右横の領域は赤、右斜め上の領域（ｘ＝０．４５〜０．５でｙ＝０．４５〜０．５）は黄、中央の領域は白を表している。図６には示されていないが、ｘｙ色度図上で色度座標（ｘ１、ｙ１）と（ｘ２、ｙ２）とにより示される２色を混合した場合、その結果の色は当該２色を結ぶ直線上にある。図６では省略してあるが、通常、ｘｙ色度図上の曲線Ａの周囲に各色の波長をｎｍ単位で付している。
【０００４】
図６において、白丸印は３in1 fullcolor ＬＥＤ（日亜化学工業株式会社製）による３原色を示し、Ｆｒが赤（色度座標ｘ＝０．７００、ｙ＝０．３００）、Ｆｇが緑（色度座標ｘ＝０．１７０、ｙ＝０．７００）、Ｆｂが青（色度座標ｘ＝０．１３０、ｙ＝０．０７５）である。上記ＬＥＤは、３原色Ｆｒ等を発光する各単色ＬＥＤの発光強度を調整し混色することにより、全体として種々の色相の発光を得ている。例えば、３in1 fullcolor ＬＥＤの場合、３原色Ｆｒ−Ｆｇ−Ｆｂにより示される三角形の範囲内の種々の色相の発光を得ている。なお、３in1 fullcolor ＬＥＤは、ＮＳＴＭ型フルカラーＬＥＤ、ＮＥＣＭ型フルカラーＬＥＤ、ＮＳＣＭ型フルカラーＬＥＤ、ＮＳＳＭ型フルカラーＬＥＤ（いずれも日亜化学工業株式会社製）等の総称である。
【０００５】
上述のように、各ＬＥＤで再現可能な色の範囲は３原色により決められた三角形の範囲内である。このため、図６の曲線Ａ内のすべての色を再現することはできないという問題があった。そこで、３原色より多い多原色を用いることにより、再現できる色の範囲を広げる試みが行なわれてきた。例えば、特許文献１には、多原色表示により分光的な色再現を行なうことを目的として、ｎ色（ｎ＞３）のＬＥＤ素子を発光させて色光を混合し目標色を再現することが記載されている。特許文献２には、多原色表示システムを実現することを目的として、スペクトル分布の異なるｍ種類の光源を用いることが記載されている。例えば、６種類の発光波長分布の異なるＬＥＤアレイ光源により最大６原色の発光ピークを持つことができるとされている。特許文献３には、１つの画素を構成しているサブ画素の数よりも多い原色数で表示することができる表示装置について記載されている。具体的には、発光色の異なる複数の光源を備え、表示期間を時分割して各期間における光源の発光色を異なるように制御することが記載されている。特許文献４には、多原色式のカラー表示装置について記載されており、４色以上の原色光を出射可能に構成された多原色光源と各種の色分離手段とを備えるものとされている。
【０００６】
【特許文献１】特開２００３−１４３４１７号公報
【特許文献２】特開２００３−１０７４７２号公報
【特許文献３】特開２００４−１３８８２７号公報
【特許文献４】特開２００４−２８６９６４号公報
【発明の開示】
【発明が解決しようとする課題】
【０００７】
上述のように、特許文献１ではｎ色（ｎ＞３）のＬＥＤ素子が必要であり、特許文献２ではｍ種類の光源が必要であり、特許文献３では発光色の異なる複数の光源が必要であり、特許文献４では４色以上の原色光を出射可能に構成された多原色光源が必要である。このため、再現できる色の範囲を広げるためには、多数の発光色の異なる多数の光源、多数種類の光源、多数の発光色の異なる複数の光源、多数の原色光を出射可能に構成された多原色光源が必要となる。このため、コストが増加するだけではなく装置自体のサイズも増大することになるという問題があった。
【０００８】
そこで、本発明の目的は、上記問題を解決するためになされたものであり、３原色より多い多原色を用いることにより再現できる色の範囲を広げるに際し、コストが増加することはなく装置自体のサイズも増大することのないフルカラーＬＥＤを提供することにある。
【課題を解決するための手段】
【０００９】
この発明のフルカラー発光ダイオードは、赤色発光ダイオードと、青色発光ダイオードと、電流値の変化により発光波長が変化する緑色の波長可変発光ダイオードとを備えたフルカラー発光ダイオードであって、前記緑色の波長可変発光ダイオードに所定の個数のピーク電流値を有するパルス電流であって、異なるピーク電流値のパルスを含むパルス群間の周期が所定のパルス周期以下であるパルス電流を流すことを特徴とする。
【００１０】
ここで、この発明のフルカラー発光ダイオードにおいて、前記青色発光ダイオードを電流値の変化により発光波長が変化する青色の波長可変発光ダイオードとし、該青色の波長可変発光ダイオードに所定の個数のピーク電流値を有するパルス電流であって、異なるピーク電流値のパルスを含むパルス群間の周期が所定のパルス周期以下であるパルス電流を流すことができる。
【００１１】
ここで、この発明のフルカラー発光ダイオードにおいて、前記赤色発光ダイオードを電流値の変化により発光波長が変化する赤色の波長可変発光ダイオードとし、該赤色の波長可変発光ダイオードに所定の個数のピーク電流値を有するパルス電流であって、異なるピーク電流値のパルスを含むパルス群間の周期が所定のパルス周期以下であるパルス電流を流すことができる。
ここで、この発明のフルカラー発光ダイオードにおいて、前記所定のパルス周期は２５ｍｓとすることができる。
この発明のフルカラー発光ダイオードは、赤色発光ダイオードと、電流値の変化により発光波長が変化する青色の波長可変発光ダイオードと、緑色発光ダイオードとを備えたフルカラー発光ダイオードであって、前記青色の波長可変発光ダイオードに所定の個数のピーク電流値を有するパルス電流であって、異なるピーク電流値のパルスを含むパルス群間の周期が所定のパルス周期以下であるパルス電流を流すことを特徴とする。上記フルカラー発光ダイオードにおいて、前記青色の波長可変発光ダイオードに加えて、さらに前記赤色発光ダイオードも電流値の変化により発光波長が変化する赤色の波長可変発光ダイオードとし、該赤色の波長可変発光ダイオードに所定の個数のピーク電流値を有するパルス電流であって、異なるピーク電流値のパルスを含むパルス群間の周期が所定のパルス周期以下であるパルス電流を流すことができる。
この発明のフルカラー発光ダイオードは、電流値の変化により発光波長が変化する赤色の波長可変赤色発光ダイオードと、青色発光ダイオードと、緑色発光ダイオードとを備えたフルカラー発光ダイオードであって、前記赤色の波長可変発光ダイオードに所定の個数のピーク電流値を有するパルス電流であって、異なるピーク電流値のパルスを含むパルス群間の周期が所定のパルス周期以下であるパルス電流を流すことを特徴とする。上記フルカラー発光ダイオードにおいて、前記赤色の波長可変発光ダイオードに加えて、さらに前記緑色発光ダイオードも電流値の変化により発光波長が変化する緑色の波長可変発光ダイオードとし、該緑色の波長可変発光ダイオードに所定の個数のピーク電流値を有するパルス電流であって、異なるピーク電流値のパルスを含むパルス群間の周期が所定のパルス周期以下であるパルス電流を流すことができる。
【発明の効果】
【００１２】
本発明のフルカラー発光ダイオードによれば、直流電源に接続された赤色ＬＥＤと、パルス電源に接続された電流値の変化により発光波長が変化する波長可変緑色ＬＥＤと、直流電源に接続された青色ＬＥＤとを用い、波長可変緑色ＬＥＤに複数（所定の個数）のピーク電流値を有するパルス電流であって、異なるピーク電流値のパルスを含むパルス群間の周期が所定のパルス周期（２５ｍｓ）以下であるパルス電流を流すことにより、複数のピーク電流値に応じた複数種類の原色の発光をさせることができる。波長可変緑色ＬＥＤにおける原色の発光強度はデューティー比を制御することにより調節することができる。このようにして発光強度が調整された原色ＧおよびＧｘ等を混色することにより、多原色フルカラーＬＥＤを実現することができる。ＬＥＤの総数は３原色の場合と同様に３個のまま変わらないため、３原色より多い多原色を用いることにより再現できる色の範囲を広げるに際し、コストが増加することはなく装置自体のサイズも増大することのないフルカラーＬＥＤを提供することができるという効果がある。
【発明を実施するための最良の形態】
【００１３】
以下、各実施例について図面を参照して詳細に説明する。
【実施例１】
【００１４】
まず、本発明のフルカラーＬＥＤの原理について説明し、次に、具体的なフルカラーＬＥＤの構成について説明する。図１は、本発明の実施例１におけるフルカラーＬＥＤの原理を色度図により示す。図１は図６と同様の色度図であり、図６と同じ記号は同じ意味を有するため説明は省略する。図１において、白四角印は本発明で用いる波長可変緑色ＬＥＤの一例（InGaN SQW green ＬＥＤ：日亜化学工業株式会社製）による原色を示し、Ｇが緑（色度座標ｘ＝０．２０５、ｙ＝０．７２３）、Ｇｘが緑（色度座標ｘ＝０．１２１、ｙ＝０．６３８）、Ｇｙが青緑（色度座標ｘ＝０．１０５、ｙ＝０．３６２）である。波長可変ＬＥＤは電流値の変化により発光波長が変化する特性を有しており、上記波長可変緑色ＬＥＤは電流値の変化により、図１に示される点線（曲線）Ａｇ上の色を発光することができる。従って、３in1 fullcolor ＬＥＤの単色緑色ＬＥＤによる原色Ｆｇを上記波長可変緑色ＬＥＤの２原色ＧおよびＧｘで置き換えて、適宜発光強度を調整し混色することにより、原色Ｆｒ、Ｇ、ＧｘおよびＦｂの４原色フルカラーＬＥＤを実現することができる。原色Ｇｘは曲線Ａｇ上の任意に点にとることができる。４原色Ｆｒ、Ｇ、ＧｘおよびＦｂを固定した場合、当該４原色フルカラーＬＥＤにより再現することができる範囲は、図１の色度図上、４原色Ｆｒ、Ｇ、ＧｘおよびＦｂにより囲まれた矩形の範囲となる。
【００１５】
３in1
fullcolor ＬＥＤの単色緑色ＬＥＤによる原色Ｆｇを上記波長可変緑色ＬＥＤに置き換えて適宜発光強度を調整し混色することにより、原色Ｆｒ、Ｇ、Ｇｘ、ＧｙおよびＦｂの５原色フルカラーＬＥＤを実現することができる。原色Ｇｙは曲線Ａｇ上の任意に点にとることができる。５原色Ｆｒ、Ｇ、Ｇｘ、ＧｙおよびＦｂを固定した場合、当該５原色フルカラーＬＥＤにより再現することができる範囲は、図１の色度図上、５原色Ｆｒ、Ｇ、Ｇｘ、ＧｙおよびＦｂにより囲まれた矩形の範囲となる。以上のように、点線Ａｇ上に原色Ｇを含めた任意の数ｎ（＞０）の原色を設定することにより、（ｎ＋２）原色フルカラーＬＥＤを実現することができる。
【００１６】
次に、具体的なフルカラーＬＥＤの構成について説明する。図２は、本発明の実施例１におけるフルカラーＬＥＤ１０の構成をブロック図で示す。図２において、符号１２ａは入力端、１４は入力端１２ａに接続された直流電源、２０は直流電源１４に接続された赤色ＬＥＤ（単色ＬＥＤ）、２６ａは赤色ＬＥＤ２０の出力端、１２ｂは入力端、１６は入力端１２ｂに接続されたパルス電源、２２はパルス電源１６に接続された電流値の変化により発光波長が変化する波長可変緑色ＬＥＤ、２６ｂは波長可変緑色ＬＥＤ２２の出力端、１２ｃは入力端、１８は入力端１２ｃに接続された直流電源、２４は直流電源１８に接続された青色ＬＥＤ（単色ＬＥＤ）、２６ｃは青色ＬＥＤ２４の出力端である。フルカラーＬＥＤ１０は、赤色ＬＥＤ２０、波長可変緑色ＬＥＤ２２および青色ＬＥＤ２４を１つのパッケージの中に内蔵した構成とすることが好適である。波長可変緑色ＬＥＤ２２としては、日亜化学工業株式会社製のＮＳＰＧ型緑色ＬＥＤまたはＮＳＰＥ型青緑色ＬＥＤ等が好適である。
【００１７】
図２に示されるように、波長可変緑色ＬＥＤ２２には、パルス電源１６から所定の個数のピーク電流値を有するパルス電流を所定のパルス周波数で流している。上述のように、波長可変発光ダイオード２２は流れる電流値を変えることにより発光波長が変化する。そこで、波長可変緑色ＬＥＤ２２に複数（所定の個数）のピーク電流値を有するパルス電流を流すことにより、複数のピーク電流値に応じた複数種類の色（例えば図１におけるＧ、Ｇｘ、Ｇｙ等）の発光をさせることができる。
【００１８】
図３は、波長可変緑色ＬＥＤ２２の発光色制御方法を説明するためのパルス波形図である。図３で横軸は時間（μｓ）であり、縦軸は波長可変緑色ＬＥＤ２２に流れる電流（ｍＡ）である。横軸上のｔ０、ｔ１、．．．、の間は等間隔である。図３に示されるように、ピーク電流値の所定の個数は、例えば図１の原色Ｇｘに対応するＩｘ（ｍＡ）と原色Ｇに対応するＩｇ（ｍＡ）との２個（２段階）である。Ｔｘはピーク電流値がＩｘ（ｍＡ）のパルスＸのパルス幅、Ｔｇはピーク電流値がＩｇ（ｍＡ）のパルスＧのパルス幅である。Ｔは、異なるピーク電流値であるＩｘ（ｍＡ）とＩｇ（ｍＡ）とを有する２個のパルスＸおよびＧ（異なるピーク電流値のパルス）を含むパルス群Ｓ１と別の同様なパルス群Ｓ２との間の周期（パルス群間の周期。即ち、所定のパルス周期）である。各パルス群Ｓ１等はピーク電流値の個数（所定の個数）と同じ個数のパルスを含んでいる。ここで、パルス周期Ｔを２５ｍｓ以上（あるいはパルス群Ｓ１等の周波数を４０Ｈｚ以下）とすると、人の目には発光が点滅して見える。しかし、パルス周期Ｔを２５ｍｓ以下（あるいはパルス群Ｓ１等の周波数を４０Ｈｚ以上）とすると、人の目には各々点灯して見える。点滅している光が点灯しているように見えるようになる境界の周波数を臨界融合周波数（critical fusion frequency : ＣＦＦ）という。ＣＦＦは光の強さ、波長等によっても変化するが、標準刺激条件での正常者のＣＦＦは約４０Ｈｚと言われている（小林駿介著、「電子ディスプレイ」、１９９頁、平成４年３月１０日初版発行、（社）電子情報通信学会発行）。従って、パルス周期Ｔは２５ｍｓ以下（あるいはパルス群Ｓ１等の周波数を４０Ｈｚ以上）とする必要がある。図３では便宜上、パルス群は２つ（Ｓ１およびＳ２）のみ示してあるが、パルス周期Ｔが２５ｍｓ以下であれば３個以上のパルス群とすることができる。
【００１９】
原色Ｇ、Ｇｘの発光強度は、パルス幅Ｔｘ、Ｔｇを変える方法と、単位時間内に含まれるパルス数を変える方法とを挙げることができる。デューティー比（Ｔｘ／ＴまたはＴｇ／Ｔ。パルス周期Ｔの間で当該色がどれだけの時間発光しているかを示す。）を制御することにより調節するという意味では、上記の２方法は同じである。このようにして発光強度が調整された原色ＧおよびＧｘ等を混色することにより、原色Ｆｒ等、Ｇ、ＧｘおよびＦｂ等の４原色フルカラーＬＥＤを実現することができる。
【００２０】
図４は、波長可変緑色ＬＥＤ２２の発光色制御方法を説明するための他のパルス波形図である。図４で図３と同じ記号は同じ意味を有するため説明は省略する。図４に示されるように、ピーク電流値の所定の個数は、例えば図１の原色Ｇに対応するＩｇ（ｍＡ）と原色Ｇｘに対応するＩｘ（ｍＡ）と原色Ｇｙに対応するＩｙ（ｍＡ）との３個（３段階）である。Ｔｙはピーク電流値がＩｙ（ｍＡ）のパルスＹのパルス幅である。図４に示される場合も、パルス周期Ｔは上述のように２５ｍｓ以下（あるいはパルス群Ｓ３等の周波数を４０Ｈｚ以上）とする必要がある。図４でも便宜上、パルス群は２つ（Ｓ３およびＳ４）のみ示してあるが、パルス周期Ｔが２５ｍｓ以下であれば３個以上のパルス群とすることができる。
【００２１】
原色Ｇｙの発光強度もデューティー比（Ｔｙ／Ｔ）を制御することにより調節することができる。このようにして発光強度が調整された原色Ｇ、ＧｘおよびＧｙと、通常のように順電流を調整して発光強度が調整された赤色ＬＥＤ２０による原色Ｆｒ等および青色ＬＥＤ２４による原色Ｆｂ等とを、図４に示されるような原色Ｇのパルス列、原色Ｇｘのパルス列、原色Ｇｙのパルス列と適切なタイミングで混色することにより、原色Ｆｒ等、Ｇ、Ｇｘ、ＧｙおよびＦｂ等の５原色フルカラーＬＥＤを実現することができる。以上と同様にして、任意の数のピーク電流値により任意の数ｎ（＞０）の原色を設定することにより、（ｎ＋２）原色フルカラーＬＥＤを実現することができる。
【００２２】
以上より、本発明の実施例１によれば、直流電源１４に接続された赤色ＬＥＤ２０と、パルス電源１６に接続された電流値の変化により発光波長が変化する波長可変緑色ＬＥＤ２２と、直流電源１８に接続された青色ＬＥＤ２４とを用い、波長可変緑色ＬＥＤ２２に複数（所定の個数）のピーク電流値を有するパルス電流を所定の間隔（１／４０Ｈｚ以下）で流すことにより、複数のピーク電流値に応じた複数種類の原色の発光をさせることができる。原色Ｇ、Ｇｘ等の発光強度はデューティー比を制御することにより調節することができる。このようにして発光強度が調整された原色Ｇ、Ｇｘ等と、通常のように順電流を調整して発光強度が調整された赤色ＬＥＤ２０による原色Ｆｒ等および青色ＬＥＤ２４による原色Ｆｂ等とを、原色Ｇ、Ｇｘ等のパルス列と適切なタイミングで混色することにより、多原色フルカラーＬＥＤを実現することができる。３原色より多い多原色としてもＬＥＤの総数は３原色の場合と同様に３個のまま変わらない。このため、３原色より多い多原色を用いることにより再現できる色の範囲を広げるに際し、コストが増加することはなく装置自体のサイズも増大することのないフルカラーＬＥＤを提供することができる。
【実施例２】
【００２３】
図５は、本発明の実施例２におけるフルカラーＬＥＤの原理を色度図により示す。図５は図１と同様の色度図であり、図１と同じ記号は同じ意味を有するため説明は省略する。図５において、黒三角印は実施例２で用いる波長可変青色ＬＥＤ（好適には、InGaN SQW blue ＬＥＤ）による原色を示し、Ｂが青（色度座標ｘ＝０．１５１、ｙ＝０．０３２）、Ｂｘが青（色度座標ｘ＝０．１１６、ｙ＝０．１０４）である。上記波長可変青色ＬＥＤは電流値の変化により、図５に示される曲線Ｂ−Ｂｘ上の色を発光することができる。従って、上記波長可変青色ＬＥＤの２原色ＢおよびＢｘと、実施例１の波長可変緑色ＬＥＤ２２と、３in1 fullcolor ＬＥＤの単色赤色ＬＥＤとを用い適宜発光強度を調整し混色することにより、原色Ｆｒ、Ｇ、Ｇｘ等およびＢ、Ｂｘ等の多原色フルカラーＬＥＤを実現することができる。当該多原色フルカラーＬＥＤにより再現することができる範囲は、図５の色度図上、原色Ｆｒ、Ｇ、Ｇｘ等およびＢ、Ｂｘ等により囲まれた範囲となる。
【００２４】
波長可変青色ＬＥＤとしては、日亜化学工業株式会社製のＮＳＰＢ型青色ＬＥＤ等が好適である。波長可変青色ＬＥＤの電源は実施例１で説明した波長可変緑色ＬＥＤ２２と同様にパルス電源であり、波長可変青色ＬＥＤの発光色制御方法は、実施例１で説明した波長可変緑色ＬＥＤ２２と同様であるため説明は省略する。
【００２５】
以上より、本発明の実施例２によれば、実施例１の単色青色ＬＥＤに替えて波長可変青色ＬＥＤを用いることができる。２つの波長可変ＬＥＤを用いる結果、実施例１に比較してさらに広い範囲の色を再現することができる多原色フルカラーＬＥＤを提供することができる。
【実施例３】
【００２６】
上述の実施例２では、実施例１の波長可変緑色ＬＥＤに加えて波長可変青色ＬＥＤを用いた。同様にして、実施例２にさらに波長可変赤色ＬＥＤを加えることもできる。波長可変赤色ＬＥＤも電流値の変化により、所望の曲線（Ｒ−Ｒｘ。不図示）上の色を発光することができる。従って、波長可変赤色ＬＥＤの２原色ＲおよびＲｘと、実施例２の波長可変青色ＬＥＤの２原色ＢおよびＢｘと、実施例１の波長可変緑色ＬＥＤ２２の２原色ＧおよびＧｘとを用い適宜発光強度を調整し混色することにより、原色Ｒ、Ｒｘ等、Ｂ、Ｂｘ等およびＧ、Ｇｘ等の多原色フルカラーＬＥＤを実現することができる。当該多原色フルカラーＬＥＤにより再現することができる範囲は、色度図上、原色Ｒ，Ｒｘ等、Ｇ、Ｇｘ等およびＢ、Ｂｘ等により囲まれた範囲となる（不図示）。
【００２７】
波長可変赤色ＬＥＤの電源は実施例１で説明した波長可変緑色ＬＥＤ２２と同様にパルス電源であり、波長可変赤色ＬＥＤの発光色制御方法は、実施例１で説明した波長可変緑色ＬＥＤ２２と同様であるため説明は省略する。
【００２８】
以上より、本発明の実施例３によれば、実施例１または２の単色赤色ＬＥＤに替えて波長可変赤色ＬＥＤを用いることができる。３つの波長可変ＬＥＤを用いる結果、実施例１または２に比較してさらに広い範囲の色を再現することができる多原色フルカラーＬＥＤを提供することができる。
【００２９】
上述の実施例１ないし３では、波長可変ＬＥＤの組合せが緑色のみ（実施例１）、緑色と青色（実施例２）、緑色と青色と赤色（実施例３）となっていた。しかし、波長可変ＬＥＤの組合せは、青色のみ、赤色のみ、青色と赤色、緑色と赤色等と任意に組み合わせることができることは勿論である。
【産業上の利用可能性】
【００３０】
本発明の活用例として、例えばカラーディスプレイ等に対して多原色フルカラーＬＥＤを適用することができる。
【図面の簡単な説明】
【００３１】
【図１】本発明の実施例１におけるフルカラーＬＥＤの原理を示す色度図である。
【図２】本発明の実施例１におけるフルカラーＬＥＤ１０の構成を示すブロック図である。
【図３】波長可変ＬＥＤ２２の発光色制御方法を説明するためのパルス波形図である。
【図４】波長可変ＬＥＤ２２の発光色制御方法を説明するための他のパルス波形図である。
【図５】本発明の実施例２におけるフルカラーＬＥＤの原理を示す色度図である。
【図６】従来のフルカラーＬＥＤにより再現される色の範囲を示す色度図である。
【符号の説明】
【００３２】
１０  フルカラーＬＥＤ、  １２ａ、１２ｂ、１２ｃ  入力端、  １４、１８  直流電源、  １６  パルス電源、  ２０  赤色ＬＥＤ、  ２２  波長可変緑色ＬＥＤ、  ２４  青色ＬＥＤ、  ２６ａ、２６ｂ、２６ｃ  出力端。
【図１】
2006344913.tif 000003
【図２】
2006344913.tif 000004
【図３】
2006344913.tif 000005
【図４】
2006344913.tif 000006
【図５】
2006344913.tif 000007
【図６】
2006344913.tif 000008